(57)【要約】【課題】圧縮機の起動時における電力供給装置の温度上昇を抑制し、該電力供給装置の損傷を防止する。【解決手段】空気調和装置（1）は、圧縮機（2）と凝縮器（3）と膨張機構（4）と蒸発器（5）とが接続されて冷凍サイクルを行う冷媒回路（1A）と、圧縮機（2）の駆動モータ（2b）を制御する電力供給装置（P）と、冷媒回路（1A）の液冷媒によって電力供給装置（P）を冷却する冷媒冷却部（19）とを有する。さらに、空気調和装置（1）は、圧縮機（2）が起動した後に、圧縮機（2）の冷媒差圧が圧縮機（2）の給油が可能な所定値に達すると、凝縮器ファン（3a）を動作させる媒体制御部（7a）を有している。【選択図】図１
2015224802.tif 000002
【特許請求の範囲】
【請求項１】
圧縮機（2）と凝縮器（3）と膨張機構（4）と蒸発器（5）とが接続されて冷凍サイクルを行う冷媒回路（1A）と、
上記圧縮機（2）の駆動モータ（2b）を制御する電力供給装置（P）と、
上記冷媒回路（1A）に設けられ、上記冷媒回路（1A）の液冷媒によって上記電力供給装置（P）を冷却する冷媒冷却部（19）とを備えた冷凍装置において、
上記圧縮機（2）が起動した後に、上記圧縮機（2）の冷媒差圧が該圧縮機（2）の給油が可能な所定値に達すると、上記凝縮器（3）において冷媒と熱交換する媒体の流通を開始させる媒体制御部（7a）を備える
ことを特徴とする冷凍装置。
【請求項２】
請求項１において、
上記凝縮器（3）は、凝縮器ファン（3a）を有する空冷式凝縮器であり、
上記媒体は空気で構成されており、
上記媒体制御部（7a）は、上記圧縮機（2）の冷媒差圧が上記所定値に達すると、上記凝縮器ファン（3a）を動作させるように構成されている
ことを特徴とする冷凍装置。
【請求項３】
請求項１において、
上記凝縮器（3）は、循環ポンプ（3b）を有する冷却水回路（3c）を有する水冷式凝縮器であり、
上記媒体は冷却水回路（3c）の水で構成されており、
上記媒体制御部（7a）は、上記圧縮機（2）の冷媒差圧が上記所定値に達すると、上記循環ポンプ（3b）を動作させるように構成されている
ことを特徴とする冷凍装置。
【発明の詳細な説明】
【技術分野】
【０００１】
本発明は、冷凍装置に関し、特に、圧縮機の駆動モータの電力供給装置を冷媒で冷却する冷媒冷却器を有する冷凍装置に係るものである。
【背景技術】
【０００２】
従来、空気調和装置等の冷凍装置では、圧縮機のモータ等に電力を供給する電力供給装置として、ダイオードやトランジスタ等のパワーデバイスを有する電力供給回路が用いられている。これ等のパワーデバイスは、その通電動作時に発熱し高温となるため、冷凍装置の中には、冷媒回路の凝縮器下流の冷媒によりパワーデバイスを良好に冷却する冷媒冷却器を有する構成を採用したものがある（例えば、特許文献１参照）。
【先行技術文献】
【特許文献】
【０００３】
【特許文献１】特開昭６２-６９０６６号公報
【発明の概要】
【発明が解決しようとする課題】
【０００４】
上述した従来の冷凍装置は、一般的に、圧縮機の起動時において、圧縮機の給油を確保するために圧縮機の冷媒差圧が十分に大きくなった後に凝縮器ファンを動作させている。
【０００５】
しかしながら、従来の冷凍装置のように、圧縮機が冷媒差圧を十分に確保するまで凝縮器を冷却しないようにすると、液冷媒が不足し、パワーデバイスを十分に冷却できない。特に、圧縮機の起動時は、冷媒の循環量が少ないので、パワーデバイスの冷却が不十分になりやすく、パワーデバイスの温度が上昇してパワーデバイスが損傷する可能性がある。
【０００６】
本発明は、斯かる点に鑑みてなされたものであり、圧縮機の起動時における電力供給装置の温度上昇を抑制し、該電力供給装置の損傷を防止することを目的とする。
【課題を解決するための手段】
【０００７】
第１の発明は、圧縮機（2）と凝縮器（3）と膨張機構（4）と蒸発器（5）とが接続されて冷凍サイクルを行う冷媒回路（1A）と、上記圧縮機（2）の駆動モータ（2b）を制御する電力供給装置（P）と、上記冷媒回路（1A）に設けられ、上記冷媒回路（1A）の液冷媒によって上記電力供給装置（P）を冷却する冷媒冷却部（19）とを有する冷凍装置である。
【０００８】
そして、上記第１の発明は、上記圧縮機（2）が起動した後に、上記圧縮機（2）の冷媒差圧が該圧縮機（2）の給油が可能な所定値に達すると、上記凝縮器（3）において冷媒と熱交換する媒体の流通を開始させる媒体制御部（7a）を有することを特徴としている。
【０００９】
上記第１の発明では、上記圧縮機（2）を起動した際、凝縮器（3）において冷媒と熱交換する媒体の流通は停止しているものの、上記圧縮機（2）の冷媒差圧が該圧縮機（2）の給油が可能な所定値に達すると、媒体の流通を開始させる。
【００１０】
本来、圧縮機（2）の起動時は、圧縮機（2）の潤滑油が迅速に摺動部等に供給されるように、圧縮機（2）の吸入圧力と吐出圧力との差である冷媒差圧が十分に大きくなった後に上記媒体の流通を開始させることが好ましい。
【００１１】
ところが、十分な冷媒差圧を確保するために上記媒体の流通を行わないと、熱交換が行われず、液の少ない状態の冷媒が冷媒冷却器（19）に流れ、電力供給装置（P）の冷却が不足することになる。
【００１２】
そこで、第１の発明では、圧縮機（2）の冷媒差圧が該圧縮機（2）の給油が可能な所定値に達すると、上記媒体の流通を開始させ、液冷媒を冷媒冷却器に供給し、電力供給装置（P）の冷却が確実に行われるようにした。
【００１３】
第２の発明は、上記第１の発明において、上記凝縮器（3）が、凝縮器ファン（3a）を有する空冷式凝縮器であり、上記媒体は空気で構成されており、上記媒体制御部（7a）は、上記圧縮機（2）の冷媒差圧が上記所定値に達すると、上記凝縮器ファン（3a）を動作させるように構成されていることを特徴としている。
【００１４】
上記第２の発明では、圧縮機（2）の冷媒差圧が該圧縮機（2）の給油が可能な所定値に達すると、上記凝縮器ファン（3a）を動作させ、冷媒冷却器（19）に液冷媒を供給する。
【００１５】
第３の発明は、上記第１の発明において、上記凝縮器（3）が、循環ポンプ（3b）を有する冷却水回路（3c）を有する水冷式凝縮器であり、上記媒体は冷却水回路（3c）の水で構成されており、上記媒体制御部（7a）は、上記圧縮機（2）の冷媒差圧が上記所定値に達すると、上記循環ポンプ（3b）を動作させるように構成されていることを特徴としている。
【００１６】
上記第３の発明では、圧縮機（2）の冷媒差圧が該圧縮機（2）の給油が可能な所定値に達すると、上記冷却水回路（3c）の循環ポンプ（3b）を動作させ、冷媒冷却器（19）に液冷媒を供給する。
【発明の効果】
【００１７】
本発明によれば、圧縮機（2）の起動時において、圧縮機（2）の冷媒差圧が該圧縮機（2）の給油が可能な所定値に達すると、凝縮器（3）の冷媒と熱交換する媒体の流通を開始させる。この結果、冷媒が冷却されて冷媒冷却器（19）に液冷媒を供給することができ、電力供給装置（P）の冷却を確実に行うことができる。
【００１８】
第２の発明によれば、圧縮機（2）の冷媒差圧が該圧縮機（2）の給油が可能な所定値に達すると、凝縮器ファン（3a）を動作させるので、冷媒冷却器（19）に液冷媒が供給され、電力供給装置（P）の冷却を確実に行うことができる。
【００１９】
第３の発明によれば、圧縮機（2）の冷媒差圧が該圧縮機（2）の給油が可能な所定値に達すると、冷却水回路（3c）の循環ポンプ（3b）を動作させるので、冷媒冷却器（19）に液冷媒が供給され、電力供給装置（P）の冷却を確実に行うことができる。
【図面の簡単な説明】
【００２０】
【図１】図１は実施形態に係る空気調和装置の冷媒回路を示す図である。
【図２】図２は同空気調和装置が有する電力供給装置の電気回路図である。
【図３】図３は同空気調和装置のコントローラの制御フロー図である。
【図４】図４は変形例を示す空気調和装置の冷媒回路を示す図である。
【発明を実施するための形態】
【００２１】
以下、本発明の実施形態を図面に基づいて詳細に説明する。
【００２２】
図１に示すように、本実施形態の冷凍装置は、工場等の大規模な施設において用いられる大型の空気調和装置（1）であって、冷媒回路（1A）を有している。
【００２３】
冷媒回路（1A）は、圧縮機（2）と凝縮器（3）とメイン膨張弁（4）と蒸発器（5）とが冷媒配管（6）によって順に接続されて閉回路に構成され、蒸気圧縮式冷凍サイクルの冷媒回路を構成している。そして、圧縮機（2）から吐出された冷媒は、媒体である室外空気と熱交換して放熱した後、メイン膨張弁（4）で膨張し、蒸発器（5）で媒体である水と熱交換して蒸発し、ガス冷媒となって圧縮機（2）に戻る。
【００２４】
圧縮機（2）は、圧縮機構（2a）と、該圧縮機構（2a）を回転駆動する三相の駆動モータ（2b）とが収容されている。
【００２５】
凝縮器（3）は、凝縮器ファン（3a）を有する空冷式凝縮器で構成され、凝縮器ファン（3a）の動作によって供給される室外の空気（媒体）と冷媒とが熱交換するように構成されている。
【００２６】
メイン膨張弁（4）は、弁体がパルスモータによって駆動される開度可変な電動膨張弁であり、膨張機構を構成している。
【００２７】
蒸発器（5）は、水冷却用蒸発器で構成され、循環ポンプ（5a）を有する冷却水回路（5b）が接続されている。蒸発器（5）は、冷却水回路（5b）の水と冷媒とが熱交換するように構成され、冷却水回路（5b）は、空調負荷に冷却水を供給するように構成されている。
【００２８】
また、冷媒回路（1A）において、凝縮器（3）とメイン膨張弁（4）との間には、過冷却用熱交換器（24）が配置されている。該過冷却用熱交換器（24）には、過冷却用膨張弁（25）を有する過冷却バイパス管（26）が接続されている。該過冷却バイパス管（26）は、凝縮器（3）からの液冷媒の一部を分岐して過冷却用膨張弁（25）で減圧し、過冷却用熱交換器（24）を流れる凝縮器（3）からの液冷媒を過冷却する。そして、過冷却バイパス管（26）を流れる冷媒は、過冷却用熱交換器（24）から圧縮機（2）の中間ポート（2c）に吸入される。
【００２９】
冷媒回路（1A）において、凝縮器（3）には、温度センサ（40）が設けられている。該温度センサ（40）は、凝縮器（3）における冷媒の凝縮温度を検出している。
【００３０】
圧縮機（2）、凝縮器ファン（3a）、メイン膨張弁（4）、冷却水回路（5b）の循環ポンプ（5a）および温度センサ（40）は、コントローラ（7）に接続されている。そして、コントローラ（7）は、圧縮機（2）の駆動モータ（2b）の回転速度、凝縮器ファン（3a）の回転速度、メイン膨張弁（4）の弁開度および冷却水回路（5b）の循環ポンプ（5a）の回転速度を制御するように構成されている。
【００３１】
次に、図２に示すように、圧縮機（2）の圧縮機構（2a）を回転駆動する駆動モータ（2b）に電力を供給する電力供給装置（P）の電気回路について説明する。
【００３２】
図２の電力供給装置（P）は、三相交流電源（9）の三相交流を直流に変換する６個のダイオード（Dr）がブリッジ状に結線されたコンバータ部（10）と、コンバータ部（10）により変換された直流電圧を平滑する平滑コイル（11）と、コンバータ部（10）からの直流電圧を平滑する平滑コンデンサ（12）と、平滑された直流電圧を三相交流電圧に変換する６個のスイッチング素子としてのＩＧＢＴ（Insulated Gate Bipolar Transistor）（Tr）およびこれ等のＩＧＢＴ（Tr）の各々に逆並列に接続された６個の還流ダイオード（Dw）を有するインバータ（13）とを有する。インバータ（13）で変換された三相交流電圧は、圧縮機（2）の駆動モータ（2b）に供給される。
【００３３】
そして、コントローラ（7）は、圧縮機（2）の駆動モータ（2b）の各相に流れる電流（iu，iv，iw）を制御するよう、インバータ（13）内の６個のＩＧＢＴ（Tr）に制御信号（CNT）を出力し、駆動モータ（2b）の回転速度を制御する。
【００３４】
そこで、図１に戻って、冷媒回路（1A）には、メイン膨張弁（4）と過冷却用熱交換器（24）との直列回路と並列に、図２の電力供給装置（P）のコンバータ部（10）とインバータ（13）とを冷却する冷媒冷却器（19）が接続されている。
【００３５】
冷媒冷却器（19）の内部には、図２の電力供給装置（P）のコンバータ部（10）の６個のダイオード（Dr）（パワーデバイス）を冷却するダイオード用の第１冷媒ジャケット（20）と、電力供給装置（P）のインバータ（13）の６個のＩＧＢＴ（Tr）（パワーデバイス）を冷却するＩＧＢＴ用の第２冷媒ジャケット（21）とが冷媒配管（23）により直列に接続され、この冷媒直列回路がメイン膨張弁（4）と過冷却用熱交換器（24）との直列回路と並列に接続されている。
【００３６】
また、冷媒冷却器（19）の上流側と凝縮器（3）との間の冷媒配管（23）には、上流側膨張弁（22）が配置されている。該上流側膨張弁（22）は、冷媒冷却器（19）の第１冷媒ジャケット（20）および第２冷媒ジャケット（21）に流通する冷媒の圧力および温度を制御するように構成されている。
【００３７】
また、冷媒冷却器（19）の下流側と蒸発器（5）との間の冷媒配管（23）には、下流側電磁弁（30）が配置されている。該下流側電磁弁（30）は、冷媒冷却器（19）の第１冷媒ジャケット（20）および第２冷媒ジャケット（21）に流通する冷媒の流量を制御する。
【００３８】
したがって、冷媒回路（1A）において、凝縮器（3）を流れた後の冷媒の一部は、メイン膨張弁（4）をバイパスして上流側膨張弁（22）、冷媒冷却器（19）の第１冷媒ジャケット（20）および第２冷媒ジャケット（21）を流通し、その後、蒸発器（5）に流通し、凝縮器（3）からの冷媒の一部によりコンバータ部（10）の６個のダイオード（Dr）とインバータ（13）の６個のＩＧＢＴ（Tr）を冷却する。
【００３９】
ここで、上流側膨張弁（22）は、凝縮器（3）の出口の冷媒温度が制御目標値（例えば５２℃）よりも高温である場合には、凝縮器（3）からの冷媒を絞って減圧し、その冷媒温度が上記制御目標値未満に低下するように、弁開度がコントローラ（7）により制御される。
【００４０】
また、下流側電磁弁（30）は、その弁開度がコントローラ（7）により制御される。下流側電磁弁（30）は、冷媒冷却器（19）の第１冷媒ジャケット（20）および第２冷媒ジャケット（21）に流通する冷媒の流量を制御する。従って、この冷媒冷却器（19）に流通する液冷媒の温度および流量制御により、冷媒冷却器（19）で電力供給装置（P）のコンバータ部（10）のダイオード（Dr）およびインバータ（13）のＩＧＢＴ（Tr）から奪う総熱量が調整される。
【００４１】
一方、コントローラ（7）には、圧縮機（2）の起動時に凝縮器ファン（3a）を制御する媒体制御部（7a）が設けられている。
【００４２】
媒体制御部（7a）は、圧縮機（2）が起動した後に、該圧縮機（2）の冷媒差圧が該圧縮機（2）の給油が可能な所定値に達すると、凝縮器（3）において冷媒と熱交換する媒体である空気の流通を開始させるように構成されている。つまり、媒体制御部（7a）は、圧縮機（2）の冷媒差圧が所定差圧値に達すると、凝縮器ファン（3a）を動作させるように構成されている。この所定差圧値は、温度センサ（40）が検出する冷媒の凝縮温度によって判定される。具体的に、媒体制御部（7a）には、所定差圧値に相当する凝縮温度の目標値が予め設定され、媒体制御部（7a）は、凝縮温度が目標値に達すると、凝縮器ファン（3a）を動作させるように構成されている。
【００４３】
ここで、媒体制御部（7a）によるインバータ（13）等の冷却の基本的原理について説明する。
【００４４】
冷媒回路（1A）においては、一般的に、運転開始時、つまり、圧縮機（2）の起動時は、圧縮機（2）の潤滑油が迅速に摺動部等に供給されるように、圧縮機（2）の吸入圧力と吐出圧力との差である冷媒差圧が十分に大きくなった後に凝縮器ファン（3a）の動作を開始するようにしている。このような制御によると、圧縮機（2）の冷媒差圧が十分に大きくなるまで凝縮器ファン（3a）を停止しているので、凝縮器（3）を通過する冷媒が十分に熱交換されない。
【００４５】
一方、上流側膨張弁（22）は、運転停止時（圧縮機（2）の停止時）に全開状態に制御され、下流側電磁弁（30）は、運転停止時（圧縮機（2）の停止時）に全閉状態に制御されている。そして、圧縮機（2）の起動時は、下流側電磁弁（30）が全開状態に制御されるので、十分に熱交換されず、液に変化していない冷媒が冷媒冷却器（19）に流れることになる。この結果、インバータ（13）のＩＧＢＴ（Tr）等の冷却が不足することになる。
【００４６】
そこで、本実施形態では、圧縮機（2）の起動時において、コントローラ（7）は、圧縮機（2）の冷媒差圧が該圧縮機（2）の給油が可能な所定値に達すると、凝縮器ファン（3a）を動作させる。圧縮機（2）の吐出側の圧力は、凝縮器（3）における冷媒の凝縮温度から求めることができ、圧縮機（2）の吸入側の圧力は、蒸発器（5）における冷媒の蒸発温度から求めることができる。このため、このような凝縮温度と蒸発温度とを求め、これらの温度から圧縮機（2）の冷媒差圧を求めてもよい。
【００４７】
蒸発器（5）における冷媒の温度は、高くても外気温程度であるので、凝縮温度が、想定される外気温よりある程度高い温度である、圧縮機（2）の給油が可能な所定値に達することを検出するようにしてもよい。具体的には、コントローラ（7）は、凝縮温度が圧縮機（2）の給油が可能な所定の閾値（例えば４０℃）に達すると、凝縮器ファン（3a）を動作させる。この結果、圧縮機（2）の吐出冷媒温度がさほど高温となる前に凝縮器ファン（3a）が動作するので、冷媒が空気と熱交換して、液冷媒が作られる。したがって、インバータ（13）のＩＧＢＴ（Tr）等の冷却が確実に行われる。このとき、圧縮機（2）の給油も確実に行うことができる。
【００４８】
−運転動作−
次に、空気調和装置（1）における起動時の制御について、図３の制御フローに基づいて説明する。
【００４９】
ステップＳＴ１の初期状態において、圧縮機（2）は、停止状態にあり、メイン膨張弁（4）は、全開状態にあり、蒸発器（5）の冷却水回路（5b）の循環ポンプ（5a）は、停止状態にあり、凝縮器ファン（3a）は、停止状態にあり、上流側膨張弁（22）は、全開状態にあり、下流側電磁弁（30）は、全閉状態にある。
【００５０】
次に、ステップＳＴ２では、コントローラ（7）は、空気調和装置（1）の運転を開始する。ステップＳＴ２では、コントローラ（7）は、先ず、蒸発器（5）の冷却水回路（5b）の循環ポンプ（5a）を運転させる。続いて、ステップＳＴ３では、コントローラ（7）は、メイン膨張弁（4）を全開状態にし、下流側電磁弁（30）を開く。
【００５１】
その後、ステップＳＴ４では、コントローラ（7）は、圧縮機（2）を起動させる。この圧縮機（2）の起動によって冷媒が圧縮機（2）より吐出され、凝縮器（3）に流れ、蒸発器（5）および冷媒冷却器（19）に流れることになる。
【００５２】
続いて、ステップＳＴ５では、媒体制御部（7a）は、温度センサ（40）が検出する凝縮器（3）における冷媒の凝縮温度が所定の閾値（例えば４０℃）に達したか否かを判定し、凝縮温度が閾値に達するまでステップＳＴ５に待機する。圧縮機（2）が起動すると、圧縮機（2）の吐出冷媒温度および吐出冷媒圧力が徐々に上昇する。凝縮温度が閾値に達すると、ステップＳＴ５からステップＳＴ６に移り、媒体制御部（7a）は、凝縮器ファン（3a）を動作させて凝縮器ファン（3a）の運転を開始する。この結果、圧縮機（2）から流れる冷媒は、凝縮器（3）において室外空気に放熱し、この放熱した冷媒が蒸発器（5）および冷媒冷却器（19）に流れることになる。
【００５３】
引き続いて、ステップＳＴ７では、コントローラ（7）は、温度センサ（40）が検出する凝縮器（3）における冷媒の凝縮温度が制御目標値に達したか否かを判定し、凝縮温度が制御目標値に達するまでステップＳＴ７に待機する。つまり、圧縮機（2）の吐出冷媒温度が上昇し、凝縮温度が制御目標値に達すると、ステップＳＴ７からステップＳＴ８に移り、コントローラ（7）は、上流側膨張弁（22）の開度を制御する。つまり、上流側膨張弁（22）は、凝縮器（3）の出口の冷媒温度が制御目標値未満（例えば５２℃未満）に低下するように、弁開度が制御される。以上の初期動作の後、空気調和装置（1）は、通常動作に移行する。
【００５４】
−実施形態の効果−
以上のように、本実施形態によれば、圧縮機（2）の起動時において、圧縮機（2）の冷媒差圧が該圧縮機（2）の給油が可能な所定値に達すると、凝縮器ファン（3a）を動作させるので、凝縮器（3）がより早く十分な熱交換性能を発揮できる。この結果、凝縮器（3）の冷媒が空気と熱交換できるので、冷媒冷却器（19）に液冷媒を供給できる。したがって、インバータ（13）のＩＧＢＴ（Tr）等の冷却を確実に行うことができる。
【００５５】
−変形例−
実施形態は、凝縮器（3）を空冷式凝縮器（3）で構成したが、図４に示すように、凝縮器（3）は、水冷式凝縮器（3）で構成してもよい。つまり、凝縮器（3）は、循環ポンプ（3b）を有する冷却水回路（3c）が接続されている。凝縮器（3）は、冷却水回路（3c）の水と冷媒とが熱交換するように構成され、冷却水回路（3c）は、冷却水が室外空気に放熱するように構成されている。
【００５６】
そして、コントローラ（7）の媒体制御部（7a）は、圧縮機（2）の冷媒差圧が所定差圧値に達すると、冷却水回路（3c）の循環ポンプ（3b）を動作させるように構成されている。具体的に、媒体制御部（7a）は、所定差圧値に相当する凝縮温度の閾値が予め設定され、凝縮温度が閾値に達すると、冷却水回路（3c）の循環ポンプ（3b）を動作させるように構成されている。その他の構成、作用および効果は、上記実施形態と同じである。
【００５７】
〈その他の実施形態〉
本発明は、上記実施形態について、以下のような構成としてもよい。
【００５８】
上記実施形態では、凝縮器（3）の下流側において、メイン膨張弁（4）および過冷却用熱交換器（24）の直列回路と並列に、冷媒冷却器（19）、上流側膨張弁（22）および下流側電磁弁（30）を配置した。本発明は、これ等の配置箇所はこれに限定されず、例えば、凝縮器（3）とメイン膨張弁（4）との間に、冷媒冷却器（19）、上流側膨張弁（22）および下流側電磁弁（30）を配置した構成を採用してもよい。
【００５９】
また、上記実施形態では、冷媒冷却器（19）の上流側に上流側膨張弁（22）を、下流側に下流側電磁弁（30）を各々配置した構成を採用した。上記実施形態において、上流側膨張弁（22）や下流側電磁弁（30）の一方または双方を開閉弁で構成しても良いし、何れか一方を配置せず、上流側膨張弁（22）のみ、又は下流側電磁弁（30）のみを有する構成を採用してもよい。
【００６０】
以上では、冷媒の温度から冷媒の圧力を求める例について説明したが、冷媒の圧力を直接求めるようにしてもよい。例えば、図１の空気調和装置（1）が、圧縮機（2）の吐出側の冷媒配管（6）に接続されて圧縮機（2）の吐出圧力を測定する圧力計と、圧縮機（2）の吸入側の冷媒配管（6）に接続されて圧縮機（2）の吸入圧力を測定する圧力計とを有するようにしてもよい。この場合、測定された吐出圧力と吸入圧力との間の差を、圧縮機（2）の冷媒差圧として用い、図３のステップ（ST5）では、媒体制御部（7a）は、冷媒差圧が圧縮機（2）の給油が可能な所定値に達しているか否かを判定する。圧縮機（2）の吸入側の圧力の範囲はわかっているので、圧縮機（2）の吐出圧力のみを測定し、媒体制御部（7a）は、冷媒差圧が圧縮機（2）の給油が可能な所定値に達しているか否かを吐出圧力から判定するようにしてもよい。
【００６１】
また、上記実施形態では、本発明を空気調和装置（1）に適用した例を示したが、その他、例えば給湯器や冷蔵庫、冷凍庫などの冷却装置を含む冷凍装置に適用可能である。
【産業上の利用可能性】
【００６２】
以上説明したように、本発明は、圧縮機の駆動モータの電力供給装置を冷媒で冷却する冷媒冷却器を有する冷凍装置に有用である。
【符号の説明】
【００６３】
１            空気調和装置（冷凍装置）
２            圧縮機
２ｂ          駆動モータ
３            凝縮器
３ａ          凝縮器ファン
３ｂ          循環ポンプ
３ｃ          冷却水回路
４            メイン膨張弁
５            蒸発器
７            コントローラ
７ａ          媒体制御部
Ｐ            電力供給装置
１３          インバータ
Ｔｒ          ＩＧＢＴ
１９          冷媒冷却器
２０          第１冷媒ジャケット
２１          第２冷媒ジャケット
４０          温度センサ
【図１】
2015224802.tif 000003
【図２】
2015224802.tif 000004
【図３】
2015224802.tif 000005
【図４】
2015224802.tif 000006